(57)【要約】【課題】換気用送風ファン側の改造を要せずに、かつ比較的簡単な構造でマイナスイオンを乗りかご内に供給できるエレベータの乗りかごの提供。【解決手段】吹込み口プレート７のスリットに挿通したボルトで、マイナスイオン発生器４を吹出し口プレート９の下部に固定するとともに、駆動モータ７へ給電する給電線６にマイナスイオン発生器５へ給電する給電線８を接続した。これにより、送風ファン２が吹出し口プレート４を介して乗りかご１内に送風を行なうとともに、給電線６、８を介してマイナスイオン発生器５が給電されるのでマイナスイオンが発生して前記の送風に混入し乗りかご１内に放出される。【選択図】        図１
2004315189.tif 000002
【特許請求の範囲】
【請求項１】
駆動モータで駆動され、吹出し口を介して送風を行なう換気用送風ファンを備えたエレベータの乗りかごにおいて、
前記吹出し口の近傍に、マイナスイオンを発生するマイナスイオン発生器を配置するとともに、前記駆動モータへ給電する第１の給電線に、前記マイナスイオン発生器へ給電する第２の給電線を接続したことを特徴とするエレベータの乗りかご。
【請求項２】
前記マイナスイオン発生器を、前記吹出し口のスリットを利用して取付けたことを特徴とする請求項１記載のエレベータの乗りかご。
【発明の詳細な説明】
【０００１】
【発明の属する技術分野】
本発明は、換気用送風ファンおよびマイナスイオン発生器を備えたエレベータの乗りかごに関する。
【０００２】
【従来の技術】
近年、マイナスイオンを生成して放出することによりストレスや不快感を緩和できるマイナスイオン発生器がいろいろな用途に採用されており、例えば、エレベータにおいても乗りかご内でのリラクゼーション効果が期待されるため、既設エレベータの乗りかごにマイナスイオン発生器を設置する要求が高まってきている。しかしながら、エレベータの乗りかごにマイナスイオン発生器を実装する場合に、利用者の利便性を考慮すると乗りかごの床に実装することは避ける必要があるので、マイナスイオン発生器を乗りかごの壁あるいは天井に実装することが必須となるとともに、乗りかご内の美観を損なわぬようできるだけ小型化する必要がある。
【０００３】
そこで、このような従来の問題を解決する一手段として、エアコンや空気清浄器などの送風機能を有する機器と併用するマイナスイオン発生器において、ファンなどの送風部及びこれを駆動するモータなどの駆動部を省いて小型化を図り、使い易くするとともにコストダウンが図れるものが提案されている（例えば、特許文献１参照。）。
【０００４】
このような従来技術では、マイナスイオンを生成する放電極への通電を、（１）マイナスイオン発生器側で吹出し口からの送風を検知し、この検知結果に基づいて行なうか、（２）併用する機器側の送風部に電源供給がなされた時に信号を発信する発信部を設け、発信部からの発信信号を受信したことにより行なうか、あるいは（３）併用する機器とマイナスイオン発生器の間に信号線を設け、機器側の送風部に電源供給がなされた信号が信号線に入力されたことにより行なうようになっている。
【０００５】
【特許文献１】
特開２００３−５９６２１号公報（段落番号００１７、００１８、図
１〜図３）
【０００６】
【発明が解決しようとする課題】
ところで、上記した従来技術にあって、マイナスイオン発生器側で吹出し口からの送風を検知し、この検知結果に基づいてマイナスイオンを生成する放電極への通電を行なうものでは、吹出し口からの送風を検知する制御回路が必要であるので、コストが比較的高くなるという問題がある。また、併用する機器側の送風部に電源供給がなされた時に信号を発信する発信部を設け、発信部からの発信信号を受信したことにより前記の放電極への通電を行なうものでも、発信・受信回路が必要であるため、コストが比較的高くなるという問題がある。また、併用する機器とマイナスイオン発生器の間に信号線を設け、機器側の送風部に電源供給がなされた信号が信号線に入力されたことにより前記の放電極への通電を行なうものでも、入力信号を検出して通電制御を行なう制御回路が必要であるため、コストが比較的高くなるという問題がある。
【０００７】
さらに、すでにビルなどに設置されている既設エレベータに対してマイナスイオン発生器を追加する場合には、利用者の利便性を損なわぬよう短時間で追加作業を完了させる必要があるが、上記した従来技術では、併用する機器側の改造が必要であるため、この追加作業の時間短縮が難しいという問題がある。
【０００８】
本発明は、上述した従来技術における実状を鑑みてなされたもので、その目的は、換気用送風ファン側の改造を要せずに、かつ比較的簡単な構造で乗りかご内にマイナスイオンを供給することのできるエレベータの乗りかごを提供することにある。
【０００９】
【課題を解決するための手段】
上記目的を達成するため、本発明の請求項１に係わる発明は、駆動モータで駆動され、吹出し口を介して送風を行なう換気用送風ファンを備えたエレベータの乗りかごにおいて、前記吹出し口の近傍に、マイナスイオンを発生するマイナスイオン発生器を配置するとともに、前記駆動モータへ給電する第１の給電線に、前記マイナスイオン発生器へ給電する第２の給電線を接続した構成にした。
【００１０】
このように構成した請求項１に係わる発明では、駆動モータへ第１の給電線を介して給電するとき、換気用送風ファンが起動して吹出し口を介し乗りかご内に送風を行なうとともに、前記の第１の給電線に接続した第２の給電線を介してマイナスイオン発生器へも給電されるので、マイナスイオン発生器よりマイナスイオンが発生する。このマイナスイオン発生器は前記の吹出し口付近に設けられているので、マイナスイオンが前記の吹出し口を通る送風に混入して乗りかご内に放出される。これによって、換気用送風ファンを利用してマイナスイオン発生器の送風部及び駆動モータなどの駆動部を省くとともに、マイナスイオン発生器専用の起動回路を必要としないので、換気用送風ファン側の改造を要せずに、かつ比較的簡単な構造でマイナスイオンを乗りかご内に供給することができる。
【００１１】
また、本発明の請求項２に係わる発明は、請求項１に係わる発明において、前記マイナスイオン発生器を、前記吹出し口のスリットを利用して取付けた構成にした。
【００１２】
このように構成した請求項２に係わる発明では、乗りかご内で穴開け作業を特に要せずに、吹出し口のスリットを利用してマイナスイオン発生器を容易に取付けることができる。
【００１３】
【発明の実施の形態】
以下、本発明のエレベータの乗りかごの実施の形態を図に基づいて説明する。
【００１４】
図１は本発明の一実施形態に係わるエレベータの乗りかごを示す説明図、図２は本実施形態に設けられる吹出し口プレートおよびマイナスイオン発生器を下方から見た図、図３は本実施形態に設けられる吹出し口プレートおよびマイナスイオン発生器を示す側面図である。
【００１５】
図１に示す本実施形態の乗りかご１では、天井１ａに換気用送風ファン２およびかご上制御盤３が載置されるとともに、天井１ａに吹出し口プレート４が取付けられ、この吹出し口プレート４の下側にマイナスイオン発生器５が装着されている。換気用送風ファン２は、かご上制御盤３から第１の給電線６を介して給電される駆動モータ７の駆動により回転し、吹出し口プレート４を介して乗りかご１内へ送風を行なうようになっている。マイナスイオン発生器５は、換気用送風ファン２の下部に配置され、第２の給電線８を介して給電されており、この第２の給電線８は駆動モータ７の受電部で第１の給電線６と接続されている。
【００１６】
乗りかご１の内部には、図示しないファン操作スイッチが設けられ、この操作スイッチの操作により換気用送風ファン２が起動したり停止するととともに、これと連動しマイナスイオン発生器５が起動したり停止する。また、一般にエレベータの省エネルギー化を図る上で所定時間エレベータが利用されない場合、乗りかご１内の図示しない照明の消灯や換気用送風ファン２の停止を実施しているが、この送風ファン２の停止に伴ってマイナスイオン発生器５も停止する。
【００１７】
図２に示す吹出し口プレート４には、複数本のスリット９が設けられており、図３に示すように、スリット９に挿入されるボルト１０と、座金１１およびナット１２とにより、マイナスイオン発生器５が取付けられている。
【００１８】
この実施形態にあっては、マイナスイオン発生器５を取付ける際、吹込み口プレート４のスリット９にボルト１０を挿通して、座金１１およびナット１２で吹込み口プレート４を挟み込むことにより、マイナスイオン発生器５を固定する。
次いで、乗りかご１内の操作スイッチの操作により駆動モータへ第１の給電線６を介して給電するとき、換気用送風ファン２が起動して吹出し口プレート４のスリット９を介して乗りかご１内に送風を行なうとともに、前記の第１の給電線６に接続した第２の給電線８を介してマイナスイオン発生器５へも給電されるので、マイナスイオン発生器５よりマイナスイオンが発生する。このマイナスイオン発生器５は前記の吹出し口プレート４の下方に設けられているので、マイナスイオンが前記の送風に混入して乗りかご１内に放出される。
【００１９】
このように構成した本実施形態では、換気用送風ファン２を利用してマイナスイオン発生器５の送風部及び駆動モータなどの駆動部を省くとともに、マイナスイオン発生器５専用の起動回路を必要としないので、送風ファン２側の改造を要せずに、かつ比較的簡単な構造でマイナスイオンを乗りかご１内に供給することができる。
【００２０】
また、本実施形態にあっては、乗りかご１内で穴開け作業を特に要せずに、吹出し口プレート４のスリット９を利用してマイナスイオン発生器５を容易に取付けることができる。
【００２１】
【発明の効果】
以上説明したように本発明の請求項１に係わる発明では、換気用送風ファン側の改造を要せずに、かつ比較的簡単な構造でマイナスイオンを乗りかご内に供給することができる。したがって、比較的低いコストでマイナスイオンによる乗りかご内でのリラクゼーションを得られるとともに、既設エレベータに対してマイナスイオン発生器を迅速に追加できるので、利用者の利便性を損なうことを防ぐことができるという効果がある。
【００２２】
また、本発明の請求項１に係わる発明では、乗りかご内で穴開け作業を特に要せずに、吹出し口のスリットを利用してマイナスイオン発生器を容易に取付けることができる。したがって、この点からも既設エレベータにマイナスイオン発生器を追加する際にコスト削減と作業時間の低減を図ることができるという効果がある。
【図面の簡単な説明】
【図１】本発明の一実施形態に係わるエレベータの乗りかごを示す説明図である。
【図２】本実施形態に設けられる吹出し口プレートおよびマイナスイオン発生器を下方から見た図である。
【図３】本実施形態に設けられる吹出し口プレートおよびマイナスイオン発生器を示す側面図である。
【符号の説明】
１  乗りかご
１ａ  天井
２  換気用送風ファン
３  かご上制御盤
４  吹出し口プレート
５  マイナスイオン発生器
６  第１の給電線
７  駆動モータ
８  第２の給電線
９  スリット
１０  ボルト
【図１】
2004315189.tif 000003
【図２】
2004315189.tif 000004
【図３】
2004315189.tif 000005